(57)【要約】【課題】複数のフレーム画像を含み、転送時間の短縮とフレーム画像による番組内容の容易な確認とを両立させることができる番組内容確認用データを作成する装置を提供する。【解決手段】放送受信装置１の番組内容確認用データ作成処理部２０は、情報格納部５に格納されている放送番組データを読出す番組読出し部２１と、読出された放送番組データに含まれる映像データから、複数のフレーム画像の各々を順次切り出すフレーム画像取得部２３と、順次切り出された複数のフレーム画像の各々の設定解像度を個別に決定するフレーム画像解像度決定部２４と、順次切り出された複数のフレーム画像の各々を、決定された設定解像度のフレーム画像に変換する解像度変換処理を施すフレーム画像解像度変換部２５と、解像度変換処理が施されたフレーム画像を含む番組内容確認用データを情報格納部５に格納させる番組内容確認用データ記録部２７とを含む。【選択図】図４
2015130594.tif 000002
【特許請求の範囲】
【請求項１】
少なくとも映像データを含む放送番組データを情報格納部に格納させる番組録画処理を行う番組録画部と、
前記番組録画部によって録画された番組の番組内容を表す番組内容確認用データを作成し、前記情報格納部に前記番組内容確認用データを格納させる番組内容確認用データ作成処理部と、を有し、
前記番組内容確認用データ作成処理部は、
前記情報格納部に格納されている前記放送番組データを読出す番組読出し部と、
前記番組読出し部によって読出された前記放送番組データに含まれる映像データから、複数のフレーム画像の各々を順次切り出すフレーム画像取得部と、
前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、
前記順次切り出された複数のフレーム画像の各々を、前記フレーム画像解像度決定部で個別に決定された前記設定解像度のフレーム画像に変換する解像度変換処理を施すフレーム画像解像度変換部と、
前記解像度変換処理が施された前記フレーム画像を含む前記番組内容確認用データを前記情報格納部に格納させる番組内容確認用データ記録部と、を含む
ことを特徴とする放送受信装置。
【請求項２】
前記フレーム画像解像度決定部が決定する前記設定解像度は、前記番組録画部によって行われる前記番組録画の開始時点のフレーム画像について最も低く、前記番組録画の開始時点からの経過時間が増加するほど高くなることを特徴とする請求項１に記載の放送受信装置。
【請求項３】
前記フレーム画像解像度決定部が決定する前記設定解像度は、前記番組録画部によって行われる前記番組録画の開始時点のフレーム画像について最も低く、前記番組録画の開始時点からの経過時間に比例して高くなることを特徴とする請求項１又は２に記載の放送受信装置。
【請求項４】
前記番組読出し部によって読出された前記放送番組データに含まれる映像データ及び音声データの少なくとも一方から、前記番組録画部によって録画された放送番組の各時刻における前記放送番組データの重要度を算出する重要度算出部をさらに備え、
前記フレーム画像解像度決定部が決定する前記設定解像度は、前記重要度が低い時刻におけるフレーム画像について低い解像度であり、前記重要度が前記低い重要度よりも高い重要度である時刻におけるフレーム画像について前記低い解像度よりも高い解像度である
ことを特徴とする請求項１に記載の放送受信装置。
【請求項５】
前記フレーム画像取得部は、前記重要度算出部によって与えられた前記重要度が予め決められた閾値重要度以上か否かの判定を行い、前記閾値重要度よりも低いと判定された場合には、前記閾値重要度よりも低いと判定されたフレーム画像を取得せず、前記閾値重要度以上の重要度が与えられた時刻におけるフレーム画像を取得することを特徴とする請求項４に記載の放送受信装置。
【請求項６】
前記番組読出し部によって読出された前記放送番組データに含まれる番組解説情報、前記番組読出し部によって読出された前記放送番組データに含まれる前記番組録画処理に関する録画情報、及び前記番組読出し部によって読出された前記放送番組データに含まれる字幕情報の内の少なくとも１つを含む情報ファイルを作成する情報ファイル作成部をさら備え、
前記番組内容確認用データ記録部は、前記情報ファイルを前記番組内容確認用データに含めて前記情報格納部に格納させる
ことを特徴とする請求項１から５のいずれか１項に記載の放送受信装置。
【請求項７】
携帯情報端末との通信を行う通信インタフェース部と、
前記情報格納部に格納されている前記番組内容確認用データを読出す番組内容確認用データ読出し部と、
前記携帯情報端末から前記通信インタフェース部を経由して受け取った転送要求信号に応じて、録画済みの番組の中から前記転送要求信号によって転送要求されている番組を特定し、前記特定された番組に関する前記番組内容確認用データを読出すように前記番組内容確認用データ読出し部に制御信号を出力し、前記番組内容確認用データ読出し部によって読出された前記番組内容確認用データを前記通信インタフェース部を経由して前記携帯情報端末に送信する番組内容確認用データ転送制御部と
をさらに備えること特徴とする請求項１から６のいずれか１項に記載の放送受信装置。
【請求項８】
前記情報格納部に格納されている前記放送番組データを読出す番組読出し部と、
前記番組読出し部の動作を制御する番組再生制御部と、
を有し、
前記番組再生制御部は、
前記携帯情報端末から前記通信インタフェース部を経由して受け取った信号が示す再生要求番組及び再生開始時刻に応じて、前記情報格納部に格納されている放送番組データに基づく映像データ及び音声データを特定し、前記特定した番組の前記特定した再生開始時刻以降の放送番組データを読出すよう制御信号を前記番組読出し部に出力し、
前記番組読出し部によって読出された放送番組データに応じた映像信号及び音声信号を出力する出力部と、
を備えること特徴とする請求項７に記載の放送受信装置。
【請求項９】
少なくとも映像データを含む放送番組データを情報格納部に格納させる番組録画処理を行うことによって録画された番組の番組内容を表す番組内容確認用データを作成し、前記情報格納部に前記番組内容確認用データを格納させる番組内容確認用データ作成処理装置であって、
前記情報格納部に格納されている前記放送番組データを読出す番組読出し部と、
前記番組読出し部によって読出された前記放送番組データに含まれる映像データから、複数のフレーム画像の各々を順次切り出すフレーム画像取得部と、
前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、
前記順次切り出された複数のフレーム画像の各々を、前記フレーム画像解像度決定部で個別に決定された前記設定解像度のフレーム画像に変換する解像度変換処理を施すフレーム画像解像度変換部と、
前記解像度変換処理が施された前記フレーム画像を含む前記番組内容確認用データを前記情報格納部に格納させる番組内容確認用データ記録部と、を含む
ことを特徴とする番組内容確認用データ作成処理装置。
【請求項１０】
情報格納部と、
少なくとも映像データを含む放送番組データを前記情報格納部に格納させる番組録画処理を行う番組録画部と、
前記番組録画部によって録画された番組の番組内容を表す番組内容確認用データを作成し、前記情報格納部に前記番組内容確認用データを格納させる番組内容確認用データ作成処理部と、を有し、
前記番組内容確認用データ作成処理部は、
前記情報格納部に格納されている前記放送番組データを読出す番組読出し部と、
前記番組読出し部によって読出された前記放送番組データに含まれる映像データから、複数のフレーム画像の各々を順次切り出すフレーム画像取得部と、
前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、
前記順次切り出された複数のフレーム画像の各々を、前記フレーム画像解像度決定部で個別に決定された前記設定解像度のフレーム画像に変換する解像度変換処理を施すフレーム画像解像度変換部と、
前記解像度変換処理が施された前記フレーム画像を含む前記番組内容確認用データを前記情報格納部に格納させる番組内容確認用データ記録部と、を含む
ことを特徴とする番組録画装置。
【発明の詳細な説明】
【技術分野】
【０００１】
本発明は、録画済みの番組の内容を表すフレーム画像を含む番組内容確認用データを作成する機能を備えた放送受信装置、番組内容確認用データ作成処理装置、及び番組録画装置に関するものである。
【背景技術】
【０００２】
放送受信装置には、録画済み番組の映像データなどをスマートフォン又はタブレット型ＰＣなどのようなスマート端末（携帯情報端末）に転送し、スマート端末で転送された映像データを再生して、録画済みの番組の内容確認を可能にするものがある。しかし、一般に、映像データの転送には時間を要するので、スマート端末上で転送された映像データが再生可能になるまでの待ち時間が発生する。
【０００３】
特許文献１は、外部装置からファイル情報の転送要求を受信すると、サムネイル画像を含む固定長データを転送することで、画像ファイル全体を転送する場合よりも転送されるデータの量を少なくして、転送先の端末上における画像表示までの待ち時間を短縮する装置を提案している。
【先行技術文献】
【特許文献】
【０００４】
【特許文献１】特許第５０４６５４２号公報
【発明の概要】
【発明が解決しようとする課題】
【０００５】
しかしながら、特許文献１に記載の装置においては、固定長データ中にサムネイル画像のデータ全体が含まれていない場合には、転送先の端末においてサムネイル画像を表示することができないという問題がある。また、特許文献１に記載の装置においては、サムネイル画像の解像度が高い場合には転送時間が十分に短縮されず、逆に、転送時間を短縮するためサムネイル画像の解像度を下げると転送先の端末に表示される画像が荒くなって番組内容を確認し難くなるという問題がある。
【０００６】
そこで、本発明は、上記従来技術の課題を解決するためになされたものであり、情報格納部に格納されているデータから作成され且つ録画済みの番組の番組内容を表す複数のフレーム画像を含む番組内容確認用データであって、転送時間の短縮とフレーム画像による番組内容の容易な確認の両方を可能にする番組内容確認用データを作成することができる放送受信装置、番組内容確認用データ作成処理装置、及び番組録画装置を提供することを目的とする。
【課題を解決するための手段】
【０００７】
本発明の一態様に係る放送受信装置は、少なくとも映像データを含む放送番組データを情報格納部に格納させる番組録画処理を行う番組録画部と、前記番組録画部によって録画された番組の番組内容を表す番組内容確認用データを作成し、前記情報格納部に前記番組内容確認用データを格納させる番組内容確認用データ作成処理部とを有し、前記番組内容確認用データ作成処理部は、前記情報格納部に格納されている前記放送番組データを読出す番組読出し部と、前記番組読出し部によって読出された前記放送番組データに含まれる映像データから、複数のフレーム画像の各々を順次切り出すフレーム画像取得部と、前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、前記順次切り出された複数のフレーム画像の各々を、前記フレーム画像解像度決定部で個別に決定された前記設定解像度のフレーム画像に変換する解像度変換処理を施すフレーム画像解像度変換部と、前記解像度変換処理が施された前記フレーム画像を含む前記番組内容確認用データを前記情報格納部に格納させる番組内容確認用データ記録部とを含むことを特徴とする。
【発明の効果】
【０００８】
本発明によれば、放送番組データから録画済み番組の番組内容を表す番組内容確認用データを作成しているので、サムネイル画像の状態とは無関係に、番組内容確認用データを作成することができる。
【０００９】
また、本発明によれば、順次切り出された複数のフレーム画像の各々の設定解像度を個別に決定しているので、番組内容確認用データに含まれる複数のフレーム画像の個々について適切な解像度を設定することができる。そのため、転送先においてフレーム画像の再生開始までの待ち時間を短縮することができ、また、転送先においてフレーム画像の表示品質を高めることができる。
【図面の簡単な説明】
【００１０】
【図１】本発明が適用可能な映像システムの構成を概略的に示す図である。
【図２】図１に示される映像システムの一部を構成するスマート端末の画面に表示される画像の一例を示す図である。
【図３】本発明が適用可能な映像システムの他の構成を概略的に示す図である。
【図４】本発明の実施の形態１に係る放送受信装置における番組内容確認用データ作成処理に関係する構成を示すブロック図である。
【図５】実施の形態１に係る放送受信装置の番組内容確認用データ作成処理を示すフローチャートである。
【図６】実施の形態１から３に係る放送受信装置における解像度情報ファイルの一例を示す図である。
【図７】実施の形態１から３に係る放送受信装置における番組情報管理ファイルの一例を示す図である。
【図８】実施の形態１及び２に係る放送受信装置における番組内容確認用データ転送処理に関係する構成を示すブロック図である。
【図９】実施の形態１及び２に係る放送受信装置の番組内容確認用データ転送処理を示すフローチャートである。
【図１０】実施の形態１に係る放送受信装置における番組内容確認用データ作成処理に関係する構成の他の例を示すブロック図である。
【図１１】実施の形態１に係る放送受信装置からの転送情報に基づいてスマート端末の画面の表示される画像の一例を示す図である。
【図１２】本発明の実施の形態２に係る放送受信装置における番組内容確認用データ作成処理に関係する構成を示すブロック図である。
【図１３】実施の形態２に係る放送受信装置の番組内容確認用データ作成処理を示すフローチャートである。
【図１４】本発明の実施の形態３に係る放送受信装置における番組内容確認用データを利用した再生に関係する構成を示すブロック図である。
【図１５】実施の形態３に係る放送受信装置の番組内容確認用データを利用した再生動作を示すフローチャートである。
【発明を実施するための形態】
【００１１】
図１は、本発明が適用可能な映像システムの構成を概略的に示す図である。図１に示される映像システムは、放送番組データＡ１が入力される放送受信装置１（又は、図１０における１ａ、図１２における２、図１４における３）と、放送受信装置１と無線通信可能な携帯情報端末としてのスマート端末４と、放送受信装置１に接続された情報格納部としてのＨＤＤ（ハードディスクドライブ）５と、放送受信装置１に接続された無線ネットワークルータ（例えば、無線ＬＡＮルータ）６とを有している。また、放送受信装置１は、リモコン８からの制御信号Ｂ１を受信するリモコンＩ／Ｆ部を有している。放送受信装置１とスマート端末４とは、例えば、無線ネットワークルータ６を介して相互に通信である。外付けされた情報格納部は、ＨＤＤに限らず、半導体記憶装置又は光ディスク記録装置などの他の方式の記憶装置であってもよい。
【００１２】
図２は、図１に示される映像システムの一部を構成するスマート端末４の画面に表示される画像の一例を示す図である。図２に示されるように、スマート端末４の画面には、放送受信装置１から転送されたフレーム画像４１、番組タイトル４２、放送種別４３、チャンネル番号４４、録画日時４５、録画時間長４６、及び番組説明４７などの番組情報が表示される。ただし、スマート端末４の画面に表示される画像は、図２の例に限定されない。
【００１３】
図３は、本発明が適用可能な映像システムの他の構成を概略的に示す図である。図３において、図１に示される構成要素と同一又は対応する構成要素には、図１における符号と同じ符号を付す。図３に示される映像システムは、放送受信機能を有する番組録画装置７と、番組録画装置７と無線通信可能なスマート端末４と、番組録画装置７に接続された無線ネットワークルータ６とを有している。図３において、番組録画装置７は、情報格納部としてのＨＤＤ５を内蔵している。番組録画装置７とスマート端末４とは、例えば、無線ネットワークルータ６を介して相互に通信である。内蔵された情報格納部は、ＨＤＤに限らず、半導体記憶装置又は光ディスク記録装置などの他の方式の記憶装置であってもよい。なお、本発明が適用可能なシステムは、図１及び図３に示される形態に限定されない。
【００１４】
実施の形態１．
実施の形態１に係る放送受信装置１は、スマート端末４に転送するフレーム画像として、番組先頭付近においては低解像度のフレーム画像を転送して、番組先頭付近のフレーム画像の転送を短時間で完了させる。さらに、実施の形態１に係る放送受信装置１は、転送開始からの経過時間が増えるほど、転送されるフレーム画像の解像度を徐々に高くして、転送開始時よりは高解像度のフレーム画像を転送して、時間経過に応じて転送されるフレーム画像の品質を上げる。以下において、放送受信装置１を、番組内容確認用データの記録と、番組内容確認用データの転送とに分けて説明する。
【００１５】
《番組内容確認用データの記録》
図４は、実施の形態１に係る放送受信装置１における番組内容確認用データ作成処理に関係する構成を示すブロック図である。図４に示されるように、放送受信装置１は、リモコン通信Ｉ／Ｆ（インタフェース）部１１と、制御部１２と、チューナ１３と、番組録画部１４と、番組内容確認用データ作成制御部１５と、番組内容確認用データ作成処理部２０とを有する。番組内容確認用データ作成処理部２０は、番組読出し部２１と、デコーダ２２と、フレーム画像取得部２３と、フレーム画像解像度決定部２４と、フレーム画像解像度変換部２５と、番組情報管理ファイル作成部２６と、番組内容確認用データ記録部２７とを有する。
【００１６】
リモコン通信Ｉ／Ｆ部１１は、リモコンによる制御信号Ｂ１を受信し、制御部１２に制御信号を送る。
【００１７】
制御部１２は、例えば、リモコン通信Ｉ／Ｆ部１１から録画を指示する制御信号を受信したときには、チューナ１３に選局信号を送り、番組録画部１４に放送番組データとしてのマルチメディアデータの記録を指示する制御信号を送る。また、制御部１２は、番組内容確認用データ作成制御部１５に録画終了を通知する信号を送る。
【００１８】
チューナ１３は、放送信号Ａ１を受信し、特定の番組のマルチメディアデータを番組録画部１４に供給する。
【００１９】
番組録画部１４は、チューナ１３から少なくとも映像データを含む放送番組データであるマルチメディアデータを受け取り、ＨＤＤ５にマルチメディアデータを格納させる。また、番組録画部１４は、録画日時及び録画時間長などの録画情報をＨＤＤ５に記録する。
【００２０】
番組内容確認用データ作成制御部１５は、制御部１２から録画終了を通知する信号を受け取ると、番組内容確認用データ作成処理部２０に対して番組内容確認用データ作成開始を指示する制御信号を送る。番組内容確認用データ作成処理部２０は、番組録画部１４によって録画された番組の番組内容を表す番組内容確認用データを作成し、情報格納部としてのＨＤＤ５に番組内容確認用データを格納させる。
【００２１】
番組読出し部２１は、番組内容確認用データ作成制御部１５から番組内容確認用データ作成開始を指示する制御信号を受け取り、ＨＤＤ５から録画済み番組のマルチメディアデータ及び録画情報を読出す。また、番組読出し部２１は、読出したマルチメディアデータをデコーダ２２に送り、読出した録画情報をフレーム画像解像度決定部２４に送り、番組情報管理ファイル作成部２６に録画情報を送る。
【００２２】
デコーダ２２は、番組読出し部２１からマルチメディアデータを受け取り、映像データをフレーム画像取得部２３に送り、番組説明などの番組情報を番組情報管理ファイル作成部２６に送る。
【００２３】
フレーム画像取得部２３は、デコーダ２２から映像データを受け取り、番組読出し部２１によって読出された放送番組データに含まれる映像データから、複数のフレーム画像の各々を順次切り出す。フレーム画像取得部２３は、順次切り出されたフレーム画像をフレーム画像解像度変換部２５に送る。
【００２４】
フレーム画像解像度決定部２４は、フレーム画像取得部２３によって切り出されたときの前記フレーム画像の解像度である基準解像度を超えない範囲内で、順次切り出された複数のフレーム画像の各々の設定解像度を個別に決定する。フレーム画像解像度決定部２４は、録画番組の先頭からの経過時間と解像度との対応関係を示す解像度情報ファイルをフレーム画像解像度変換部２５に送る。
【００２５】
フレーム画像解像度変換部２５は、順次切り出された複数のフレーム画像の各々を、フレーム画像解像度決定部２４で個別に決定された設定解像度のフレーム画像に変換する解像度変換処理を行う。具体的に言えば、フレーム画像解像度変換部２５は、フレーム画像取得部２３からフレーム画像を取得し、フレーム画像解像度決定部２４から解像度情報ファイルを受け取り、解像度を変換したフレーム画像を番組内容確認用データ記録部２７に送る。
【００２６】
番組情報管理ファイル作成部２６は、番組読出し部２１から録画情報を受け取り、デコーダ２２から番組情報を受け取り、番組情報管理ファイルを番組内容確認用データ記録部２７に送る。
【００２７】
番組内容確認用データ記録部２７は、解像度変換処理が施されたフレーム画像を含む番組内容確認用データを情報格納部としてのＨＤＤ５に格納させる。具体的に言えば、番組内容確認用データ記録部２７は、フレーム画像解像度変換部２５から解像度を変換したフレーム画像を受け取ってＨＤＤ５に記録し、番組情報管理ファイル作成部２６から番組情報管理ファイルを受け取り、ＨＤＤ５に記録する。
【００２８】
ＨＤＤ５は、マルチメディアデータ及び解像度が変換されたフレーム画像、番組情報管理ファイルなどを保持する。
【００２９】
図５は、実施の形態１に係る放送受信装置１の番組内容確認用データ作成処理を示すフローチャートである。図６は、放送受信装置１における解像度情報ファイルの一例を示す図であり、図７は、放送受信装置１における番組情報管理ファイルの一例を示す図である。まず、リモコン通信Ｉ／Ｆ部１１がリモコンから特定の番組の録画要求を受信すると、制御部１２に録画を指示する制御信号を送る。制御部１２は、その制御信号から録画日時及び録画チャンネルなどを読出すことで録画予約の設定を行う（ステップＳ１０１）。
【００３０】
制御部１２は、時刻検出手段を有しており、録画開始時刻になると、チューナ１０１に録画するチャンネルを選局するよう制御信号を送る。また、制御部１２は、番組録画部１４に、チューナ１０１によって選局されたチャンネルに含まれるマルチメディアデータをＨＤＤ５へ記録するよう制御信号を送る（ステップＳ１０２）。
【００３１】
録画終了時刻になるか、又は、録画中に録画停止要求を受信すると、制御部１２は、番組録画部１４にマルチメディアデータの記録（録画）を終了するよう制御信号を送る。この制御信号を受け取った番組録画部１４は、マルチメディアデータの記録を終了する。同時に、番組録画部１４は、番組名、録画時間長、録画した映像の解像度などの録画情報をＨＤＤ５に記録する。さらに、制御部１２は、番組内容確認用データ作成部１０４に対して録画終了を通知する（ステップＳ１０３）。
【００３２】
番組内容確認用データ作成制御部１５は、番組内容確認用データ作成処理部２０に対して番組内容確認用データ作成開始を指示する制御信号を送る。これらの信号は、番組内容確認用データ作成処理部２０に含まれる各構成部に伝えられる。番組読出し部２１は、これを受けて、録画した番組のマルチメディアデータ及び録画情報を、ＨＤＤ５から読出す（ステップＳ１０４）。
【００３３】
フレーム画像解像度決定部２４は、番組読出し部２１から録画情報を受け取り、録画した映像データの解像度及び録画時間長を取得する（ステップＳ１０５）。
【００３４】
フレーム画像解像度決定部２４は、受け取った録画時間長をもとに、各時刻の解像度を決定する。具体的に言えば、フレーム画像解像度決定部２４は、番組の先頭からの経過時間が増加するほど段階的に解像度を高くするように（例えば、経過時間に比例して解像度を高くするように）に決定し、図６に示されるように経過時間５１と解像度５２の対応関係を示す解像度情報ファイル５０を作成する。
【００３５】
例えば、横１９２０×縦１０８０ドットの解像度で６０分間番組を録画した場合には、フレーム画像解像度決定部２４は、番組先頭から１分経過するまでのフレーム画像の解像度を３２×１８ドット、１分から２分経過するまでのフレーム画像を６４×３６ドット、
２分から３分経過するまでフレーム画像を９６×５４ドット、５９分から番組終了までは、１９２０×１０８０といったように解像度を決定し、解像度情報ファイル５０を作成する。ここで、フレーム画像の解像度は、番組読出し部２１から受け取った解像度（基準解像度）を超えないようにする。この場合は、基準解像度は１９２０×１０８０ドットである。これにより、番組全体のフレーム画像の総データサイズは、全フレーム画像に対して解像度変換を加えない場合のデータサイズより小さくなる。フレーム画像解像度決定部２４は、作成した解像度情報ファイル５０を、フレーム画像解像度変換部２５に送る（ステップＳ１０６）。
【００３６】
デコーダ２２は、番組読出し部２１から受け取ったマルチメディアデータをデコードして、マルチメディアデータに含まれる映像データをフレーム画像取得部２３に送る（ステップＳ１０７）。
【００３７】
フレーム画像取得部２３は、受け取った映像データからフレーム画像を切り出し、この切り出されたフレーム画像をフレーム画像解像度変換部２５に送る。フレーム画像の形式には、例えば、ＪＰＥＧ（Ｊｏｉｎｔ  Ｐｈｏｔｏｇｒａｐｈｉｃ  Ｅｘｐｅｒｔｓ  Ｇｒｏｕｐ）形式が利用できる。また、フレーム画像取得部２３は、各フレーム画像において番組先頭からの経過時間が分かるようなファイル名を付ける。例えば、先頭から１０分４６秒経過後のフレーム画像であれば、「００＿１０＿４６．ｊｐｇ」といったようなファイル名とする（ステップＳ１０８）。
【００３８】
フレーム画像解像度変換部２５は、フレーム画像取得部２３からフレーム画像を受け取り、フレーム画像解像度決定部２４から解像度情報ファイル５０を受け取る。そして、フレーム画像解像度変換部２５は、フレーム画像のファイル名と解像度情報ファイル５０に記載された経過時間５１とを照合し、対応する解像度５２を読出す。さらに、フレーム画像解像度変換部２５は、読出した解像度５２になるようにフレーム画像の解像度を変換する。フレーム画像解像度変換部２５は、変換したフレーム画像を番組内容確認用データ記録部２７に送る（ステップＳ１０９）。
【００３９】
番組内容確認用データ記録部２７は、受け取ったフレーム画像をＨＤＤ５に記録する（ステップＳ１１０）。
【００４０】
番組情報管理ファイル作成部２６は、番組読出し部２１から録画情報を受け取り、デコーダ２２から番組情報を受け取り、図７に示されるような番組タイトル４２、放送種別４３、チャンネル番号４４、録画日時４５、録画時間長４６、番組説明４７を含む番組情報管理ファイル６０を作成し、番組内容確認用データ記録部２７に送る（ステップＳ１１１）。
【００４１】
番組内容確認用データ記録部２７は、受け取った番組情報管理ファイル６０をＨＤＤ５に記録する（ステップＳ１１２）。
【００４２】
《番組内容確認用データの転送》
図８は、放送受信装置１における番組内容確認用データ転送処理に関係する構成を示すブロック図である。図８に示される放送受信装置１は、スマート端末通信Ｉ／Ｆ部３１と、番組内容確認用データ転送制御部３２と、番組内容確認用データ読出し部３３とを備え、番組内容確認用データ読出し部３３はＨＤＤ５と接続されている。なお、実施の形態１においては、放送受信装置１は、図４の構成をも有している。
【００４３】
スマート端末通信Ｉ／Ｆ部３１は、スマート端末４から信号Ｃ１を受信し、番組内容確認用データ転送制御部３２に番組内容確認用データの転送を要求する制御信号を送る。また、スマート端末通信Ｉ／Ｆ部３１は、スマート端末４に番組内容確認用データＤ１を転送する。
【００４４】
番組内容確認用データ転送制御部３２は、スマート端末通信Ｉ／Ｆ部３１から番組内容確認用データの転送を要求する制御信号を受け取り、番組内容確認用データ読出し部３３に特定の番組の番組内容確認用データをＨＤＤ５から読出すように指示する制御信号を送る。また、番組内容確認用データ転送制御部３２は、番組内容確認用データをスマート端末通信Ｉ／Ｆ部３１に送る。
【００４５】
番組内容確認用データ読出し部３３は、番組内容確認用データ転送制御部３２から特定の番組の番組確認用データを読出すように指示する制御信号を受け取ると、ＨＤＤ５から番組確認用データを読出す。また、番組内容確認用データ読出し部３３は、番組内容確認用データを番組内容確認用データ転送制御部３２に送る。
【００４６】
ＨＤＤ５は、マルチメディアデータ及び解像度を変換したフレーム画像、番組情報管理ファイル６０などを保持する。
【００４７】
図９は、放送受信装置１の番組内容確認用データ転送処理を示すフローチャートである。まず、スマート端末通信Ｉ／Ｆ部３１がスマート端末４から番組内容確認用データの転送要求を表す制御信号を受信する。なお、この制御信号には、どの番組に関する番組内容確認用データを要求しているかを表す情報が含まれる（ステップＳ１２１）。
【００４８】
スマート端末通信Ｉ／Ｆ部３１は、その転送要求信号を番組内容確認用データ転送制御部３２に送り、番組内容確認用データ転送制御部３２は、受け取った信号から転送する番組を特定して、番組内容確認用データ読出し部３３に該当する番組の番組内容確認用データを読出すよう制御信号を送る。番組内容確認用データ読出し部３３は、指示を受けた番組に関する番組内容確認用データをＨＤＤ５から読出して、番組内容確認用データ転送制御部３２に送る（ステップＳ１２２）。
【００４９】
番組内容確認用データ転送制御部３２は、スマート端末通信Ｉ／Ｆ部３１に番組内容確認用データを送り、データを受け取ったスマート端末通信Ｉ／Ｆ部３１は、そのデータをスマート端末４に転送する（ステップＳ１２３）。
【００５０】
以上のように構成された放送受信装置１においては、スマート端末４に転送するフレーム画像について番組先頭付近においては、フレーム画像を低解像度のものとすることで、番組先頭付近のフレーム画像の転送を短時間で行うことができる。これにより、番組先頭のフレーム画像から順次、スマート端末４でフレーム画像を受信して表示する際、先頭付近のフレーム画像を短時間で表示することができる。その結果、フレーム画像の全てを解像度変換せずに高い解像度で転送する場合に比べて、スマート端末４におけるフレーム画像の表示開始待ちによるユーザのストレスを抑制することができる。さらに、再生開始時点からの経過時間が増えるほど、転送するフレーム画像の解像度を段階的に上げるので、フレーム画像の全てを低解像度で転送する場合に比べ、ユーザは、内容の確認を容易に行うことができ、フレーム画像が不鮮明であることに起因する間違った認識を減らすことができる。
【００５１】
また、実施の形態１においては、図６の解像度情報ファイル５０に表したようにフレーム画像を１秒毎に切り出すことに限らず、より大きい時間間隔でフレーム画像を切り出してもよい。このようにすることで、切り出すフレーム画像の枚数が減少するため、より短時間でフレーム画像の記録処理を行うことができるようになる。また、転送するフレームの枚数も減少するため、より短時間で転送が可能になる。さらに、実施の形態１に係る放送受信装置１は、フレーム画像の切り出し間隔をユーザ設定可能に構成することも可能である。
【００５２】
また、実施の形態１においては、番組の録画終了後に番組内容確認用データの作成を開始する場合を説明したが、番組の録画中に、録画処理と並行して番組内容確認用データを作成してもよい。
録画処理と並行して番組内容確認用データを作成する場合、番組録画部１４がＨＤＤ５にマルチメディアデータを記録するのと並行して、画像データをデコードして、フレーム画像の取得及び解像度変換を行う構成を採用する必要がある。ただし、解像度を、録画時間長を考慮せず、録画開始からの経過時間が増加するほど（例えば、経過時間に比例して）高解像度となるように決定する。また、番組情報管理ファイル６０に録画時間長などが含まれる場合は、録画完了後番組内容確認用データを作成する。このようにすることで、番組の録画完了後、番組内容確認用データの作成完了を待つことなく、即座にスマート端末４で内容の確認を行うことができる。
【００５３】
図１０は、実施の形態１に係る放送受信装置１ａにおける番組内容確認用データ作成処理に関係する構成の他の例を示すブロック図である。図１１は、実施の形態１に係る放送受信装置からの転送情報に基づいてスマート端末４の画面の表示される画像の一例を示す図である。図１０において、図４に示される構成要素と同一又は対応する構成要素には、図４に示される符号と同じ符号を付す。また、図１１において、図２に示される部分と同一又は対応する部分には、図２に示される符号と同じ符号を付す。上記説明においては、画像によって番組内容の確認を可能にするものであったが、字幕も併せてスマート端末４に転送し、画像と字幕とで番組内容の確認を可能にするよう構成することもできる。この場合、図１０のように放送受信装置１ａが字幕ファイル作成部２８を備えるようにし、字幕ファイル作成部２８がデコーダ２２から受け取った字幕データから、その文字列と画面への表示時刻を記載した字幕ファイルを作成するようにする。このようにして作成した字幕ファイルも併せて転送するようにすることで、スマート端末４上では、図１１のような字幕４８のような表示が可能になり、ユーザは、より具体的に番組内容を理解することができるようになる。
【００５４】
実施の形態２．
実施の形態２に係る放送受信装置２は、スマート端末４に転送するフレーム画像の解像度を、そのフレームの内容的な重要度に応じて決定するものであり、重要度の低い内容を示すフレーム画像を解像度の低いものに変換することで、番組のフレーム画像の転送に必要な時間を短縮することが可能である。
【００５５】
《番組内容確認用データの記録》
図１２は、実施の形態２に係る放送受信装置２における番組内容確認用データ作成処理に関係する構成を示すブロック図である。図１２において、図４に示される構成要素と同一又は対応する構成要素には、図４に示される符号と同じ符号を付す。図１２に示される放送受信装置２は、重要度算出部２９を備える点が、実施の形態１に係る放送受信装置１と異なる。
【００５６】
フレーム画像解像度決定部２４は、デコーダ２２から映像データ及び音声データを受け取り、重要度算出部２９にそれらのデータを送る。また、フレーム画像解像度決定部２４は、重要度算出部２９から番組の各時刻における内容の重要度を受け取り、フレーム画像解像度変換部２５に録画番組の先頭からの経過時間と解像度の対応関係を示す解像度情報ファイル５０を送る。
【００５７】
重要度算出部２９は、フレーム画像解像度決定部２４から映像データ及び音声データを受け取り、番組の各時刻について、その内容の重要度をフレーム画像解像度決定部２４に送る。
【００５８】
図１３は、実施の形態２に係る放送受信装置２の番組内容確認用データ作成処理を示すフローチャートである。図１３において、ステップＳ２０１からＳ２０４は、実施の形態１における各部の作用（図４におけるステップＳ１０１からＳ１０４）と同じ処理である。デコーダ２２は、マルチメディアデータをデコードし、デコードされたデータに含まれる映像データ及び音声データをフレーム画像解像度決定部２４に送る（ステップＳ２０５）。
【００５９】
フレーム画像解像度決定部２４は、デコーダ２２から映像データ及び音声データを受け取ると、重要度算出部２９にそれらのデータを送る。重要度算出部２９は、これらのデータから各時刻における内容の重要度を算出し、時刻と重要度の対応関係をフレーム画像解像度決定部２４に送る（ステップＳ２０６）。
【００６０】
なお、重要度は、ユーザがその録画済み番組の内容を理解する上で、その場面がどの程度重要であるかを示す指標である。例えば、ユーザが録画済み番組の時刻ｔの映像を見落とした場合に、その番組全体の内容の理解が困難になる場合は、その時刻ｔにおけるフレーム画像の重要度は高い。一方、時刻ｔを見落としても番組全体の内容の理解度に影響が及ばない場合は、その時刻ｔにおけるフレーム画像の重要度は低い。重要度の算出方法は、多く知られている。重要度の算出方法の一例は、音声データを利用した方法がある。例えば、野球中継番組において、得点シーンなどの番組を理解する上で重要なシーンでは、他のシーンに比べて音声の盛り上がりが大きくなることを利用する。すなわち、音声の盛り上がりが大きければ大きいほど高い重要度を与える方法である。このような既知の重要度算出方法を実施の形態２に示す重要度算出部２９の機能に利用することができる。
【００６１】
フレーム画像解像度決定部２４は、この重要度を受け取ると、この重要度に応じた解像度を決定する。具体的には、重要度の高い時刻のフレーム画像は、解像度を高いままにし、重要度の低い時刻のフレーム画像は、解像度を低くするよう決定する。ただし、実施の形態１同様、フレーム画像の解像度は、番組読出し部２１から受け取った解像度を超えないようにする（ステップＳ２０７）。
【００６２】
その後、フレーム画像解像度変換部２５は、フレーム画像解像度決定部２４が決定した解像度となるように、各フレーム画像の解像度を変換し、変換したフレーム画像を番組内容確認用データ記録部２７に送る（ステップＳ２０９）。
【００６３】
番組内容確認用データ記録部２７は、受け取った解像度変換済みのフレーム画像をＨＤＤ５に記録する（ステップＳ２１０）。
【００６４】
なお、重要度の判定方法は、上記例に限定されず、既知の判定方法を採用することができる。例えば、スポーツ（野球、サッカー、ラグビー、得点や勝敗に関わる、又は見ていて面白いなど盛り上がった相撲・格闘技、ゴルフ、テニス）では、音声データに基づいて盛り上がったシーン（音声の大きなシーン）を抽出して重要度が高いシーンである判定できるが、重要度の判定方法を、例えば、放送番組の種別に応じて、又は、ユーザ設定によって切り替えてもよい。例えば、ニュース番組では、アンカーパーソン（キャスター又はアナウンサーなど）の出演しているショットを重要度が高いシーンとして抽出する方法が利用できる。また、音楽番組では、トーク部分の重要度が低いと判定し、演奏又は歌唱部分の重要度を高いと判定することができる。また、競馬番組ではレースシーンが、また、将棋及び囲碁では指し手部分のシーンの重要度が高いシーンとすることができる。さらに、アクションドラマでは、音の大きい又は動きの激しいシーンの重要度が高いと判定することができ、ロマンス映画などでは、音が小さく又は動きの静かなシーンの重要度が高いと判定することができる。
【００６５】
《番組内容確認用データの転送》
実施の形態２におけるスマート端末４への転送処理は、実施の形態１の場合と同じである。
【００６６】
以上に説明したように、実施の形態２に係る放送受信装置２においては、スマート端末４に転送するフレーム画像の解像度を、そのフレームの内容的な重要度に応じて決定することができるため、重要度の低い内容を示すフレーム画像を解像度の低いものに変換することができ、番組のフレーム画像の全てを転送するのに必要な時間を短縮することが可能である。これにより、スマート端末４でフレーム画像を受信して表示する際、フレーム画像の受信及び表示に要する時間を短縮することができる。その結果、フレーム画像の全てを解像度変換せずに均一の高い解像度で転送する場合に比べ、フレーム画像の表示待ちによるユーザのストレスを抑制することができる。また、重要な内容を表すフレーム画像は、高解像度とすることで、ユーザは内容の確認及び理解が容易になる。
【００６７】
また、実施の形態２においては、内容的な重要度に応じてフレーム画像の各々の解像度を決定するようにしたが、重要度に応じてフレーム画像の間引きを実施するようにしてもよい。具体的には、重要度が、予め決められた特定の閾値ｔｈを下回る場合には、その重要度のフレーム画像は番組内容確認用データとしてＨＤＤ５に記録せず、閾値ｔｈを越える重要度のフレーム画像のみを番組内容確認用データとしてＨＤＤ５に記録する。この場合、図１２に示す放送受信装置２の構成は、フレーム画像解像度決定部２４及びフレーム画像解像度変換部２５を備えず、フレーム画像取得部２３が重要度算出部２９から重要度を取得し、その重要度に応じて各時刻のフレーム画像を取得するか否かを決定する。そして特定の時刻のフレーム画像のみを取得する。これにより、番組のフレーム画像の総枚数を減らすことができるため、番組の全フレーム画像を転送するのに必要な時間をより短縮することが可能である。その結果、フレーム画像の表示待ちによるユーザのストレスを抑制することができる。
【００６８】
実施の形態３．
実施の形態３の放送受信装置３は、既に実施の形態１及び２で示したように、フレーム画像及び字幕などの番組内容確認用データをスマート端末４に転送するものであり、さらに、ユーザがスマート端末４上で番組内容確認用データに表示されたデータを選択することによって、番組の再生を開始することができる。
【００６９】
《番組内容確認用データの記録》
実施の形態３に係る放送受信装置３は、記録処理に関する構成として、実施の形態１又は実施の形態２における構成を有する。したがって、実施の形態３に係る放送受信装置３の番組内容確認用データの作成及び記録に関する構成及び動作は、実施の形態１又は実施の形態２における構成及び動作と同じである。
【００７０】
《番組内容確認用データの転送》
実施の形態３に係る放送受信装置３は、転送処理に関する構成として、実施の形態１又は実施の形態２における構成を有する。したがって、実施の形態３に係る放送受信装置３の番組内容確認用データの転送に関する構成及び動作は、実施の形態１又は実施の形態２における構成及び動作と同じである。
【００７１】
《番組内容確認用データを利用した再生》
図１４は、実施の形態３に係る放送受信装置３における番組内容確認用データを利用した再生に関係する構成を示すブロック図である。なお、図１４には、転送処理に関する構成をも併せて示している。図１４に示されるように、放送受信装置３は、スマート端末通信Ｉ／Ｆ部３１と、番組内容確認用データ転送制御部３２と、番組内容確認用データ読出し部３３と、番組再生制御部３４と、番組読出し部３５と、デコーダ３６と、出力部３７とを備えており、番組内容確認用データ読出し部３３及び番組読出し部３５は、ＨＤＤ５と接続されている。
【００７２】
スマート端末通信Ｉ／Ｆ部３１は、スマート端末４から信号Ｃ１を受信し、番組内容確認用データ転送制御部３２に番組内容確認用データの転送を要求する制御信号を送り、スマート端末４に番組内容確認用データＤ１を転送し、番組再生制御部３４に番組の再生を要求する制御信号を送る。
【００７３】
番組内容確認用データ転送制御部３２及び番組内容確認用データ読出し部３３の動作は、実施の形態１又は実施の形態２における動作と同様である。
【００７４】
番組再生制御部３４は、スマート端末通信Ｉ／Ｆ部３１から番組の再生を要求する制御信号を受け取り、番組読出し部３５に特定の番組をＨＤＤ５から読出すよう指示する信号を送る。また、番組再生制御部３４は、マルチメディアデータをデコーダ３６に送る。
【００７５】
番組読出し部３５は、番組再生制御部３４から特定の番組の読出しを指示する信号を受け取り、ＨＤＤ５から該当するマルチメディアデータを読出す。また、番組読出し部３５は、マルチメディアデータを番組再生制御部３４に送る。
【００７６】
デコーダ３６は、マルチメディアデータを受け取り、映像データ又は音声データなどの各種データを出力部３７へ送る。
【００７７】
出力部３７は、デコーダ３６から映像データ又は音声データなどの各種データを受け取り、それぞれのデータを放送受信装置３が備えるディスプレイ又はスピーカなどの外部装置に出力する。
【００７８】
図１５は、実施の形態３に係る放送受信装置３の番組内容確認用データを利用した再生動作を示すフローチャートである。図１５において、ステップＳ３０１からＳ３０３の処理は、図９に示されるステップＳ１２１からＳ１２３の処理と同じである。ステップＳ３０３において、番組内容確認用データの転送が完了した後、ユーザがスマート端末４上で番組内容確認用データに表示されたデータを選択することによって、再生を要求する信号Ｃ１が放送受信装置３に送信される。制御信号Ｃ１を受信したスマート端末通信Ｉ／Ｆ部３１は、その信号が再生要求であると検出すると番組再生制御部３４にその信号を転送する（ステップＳ３０４）。
【００７９】
例えば、転送されたデータによって、図１１に示されるような表示をスマート端末４で行われたときに、ユーザは、フレーム画像４１をタッチすることで、そのフレーム画像が出現する時刻から再生を要求するように、放送受信装置３に対して信号が送られる。具体的には、スマート端末４は、タッチされたフレーム画像４１を検出して、番組名とそのフレーム画像４１のファイル名を放送受信装置３に送信する。
【００８０】
番組再生制御部３４は、スマート端末通信Ｉ／Ｆ部３１から再生要求を受け取り、その信号に含まれる番組名又はファイル名を読出す。番組再生制御部３４は、読出した番組名に該当するマルチメディアデータをＨＤＤ５から読出すよう番組読出し部３５に指示し、番組読出し部３５は、該当するマルチメディアデータをＨＤＤ５から読出す（ステップＳ３０５）。
【００８１】
番組再生制御部３４は、受け取ったマルチメディアデータを再生するために、デコーダ３６にマルチメディアデータを転送する。デコードされたデータは、出力部３７を介してディスプレイ又はスピーカなどの外部装置に出力される（ステップＳ３０６）。
【００８２】
放送受信装置３においては、ユーザが選択したフレーム画像４１が出現する時刻から再生を開始するが、これは、スマート端末４から受信した、選択されたフレーム画像のファイル名を読出すことで実現できる。すなわち、放送受信装置３においては、実施の形態１で説明したように、ファイル名は、フレーム画像が出現する時刻を表しているため、これを読出し、その時刻を先頭としたマルチメディアデータをデコードして、出力する。
【００８３】
以上のように構成された放送受信装置３においては、スマート端末４上で、フレーム画像又は字幕によって簡単に番組内容を確認することを可能にし、さらに、スマート端末４上での操作に応じて、番組の再生開始を可能にしている。従来、所望のシーンを検索して視聴する場合には、再生及び早送りによって所望のシーンを検索する必要があったが、所望のシーンを発見してから早送りを停止させる手動の操作を行った場合には、希望するシーンよりも時間的に先の時刻（時間的に新しい位置）から再生が始まることが多い。実施の形態３に係る放送受信装置３によれば、簡単に所望のシーンを検索でき、且つ、確実にその時刻から再生を開始することができる。
【産業上の利用可能性】
【００８４】
本発明は、外付けの情報格納部又は内蔵の情報格納部に番組を録画する機能を備える装置であれば、テレビ受像器、放送受信機、ＨＤＤレコーダ、ＢＤ（Ｂｌｕ−ｒａｙ）レコーダ、パーソナルコンピュータなどの各種の装置に適用可能である。また、本発明が適用された装置と通信可能なスマートフォン又はタブレット型ＰＣなどの携帯情報端末を用いることによって、ユーザは、携帯情報端末から録画されている番組の内容の転送要求を指示することができ、携帯情報端末の画面で転送された番組内容を確認することができる。
【符号の説明】
【００８５】
１，１ａ，２，３  放送受信装置、  ４  スマート端末（携帯情報端末）、  ５  ＨＤＤ（情報格納部）、  ６  無線ネットワークルータ、  ７  番組録画装置、  １１  リモコン通信Ｉ／Ｆ部、  １２  制御部、  １３  チューナ、  １４  番組録画部、  １５  番組内容確認用データ作成制御部、  ２０，２０ａ，２０ｂ  番組内容確認用データ作成処理部（番組内容確認用データ作成処理装置）、  ２１，３５  番組読出し部、  ２２，３６  デコーダ、  ２３  フレーム画像取得部、  ２４  フレーム画像解像度決定部、  ２５  フレーム画像解像度変換部、  ２６  番組情報管理ファイル作成部、  ２７  番組内容確認用データ記録部、  ２８  字幕ファイル作成部、  ２９  重要度算出部、  ３１  スマート端末通信Ｉ／Ｆ部、  ３２  番組内容確認用データ転送制御部、  ３３  番組内容確認用データ読出し部、  ３４  番組再生制御部、  ３７  出力部、  ４１  フレーム画像、  ４２  番組タイトル、  ４３  放送種別、  ４４  チャンネル番号、  ４５  録画日時、  ４６  録画時間長、  ４７  番組説明、  ４８  字幕、  ５０  解像度情報ファイル、  ５１  経過時間、  ５２  解像度、  ６０  番組情報管理ファイル。
【図１】
2015130594.tif 000003
【図２】
2015130594.tif 000004
【図３】
2015130594.tif 000005
【図４】
2015130594.tif 000006
【図５】
2015130594.tif 000007
【図６】
2015130594.tif 000008
【図７】
2015130594.tif 000009
【図８】
2015130594.tif 000010
【図９】
2015130594.tif 000011
【図１０】
2015130594.tif 000012
【図１１】
2015130594.tif 000013
【図１２】
2015130594.tif 000014
【図１３】
2015130594.tif 000015
【図１４】
2015130594.tif 000016
【図１５】
2015130594.tif 000017